(57)【要約】【課題】  操作部材の折れ曲がりや破損を防ぐことができるスイッチ装置およびそれを備えた時計を提供する。【解決手段】  時計モジュール７が内蔵された腕時計ケース１と、この腕時計ケース１の貫通孔１２内にその径方向に変位可能に取り付けられた第１筒状部材１３と、この第１筒状部材１３内に挿入されて、内端部が時計モジュール７に連結された第２筒状部材１４と、この第２筒状部材１４の内外に突出して時計モジュール７をスイッチ動作させる操作部材１５と、を備えている。従って、腕時計ケース１と時計モジュール７との間で位置ずれが生じても、その位置ずれに応じて第１筒状部材１３を変位させることができるので、時計モジュール７に対して第２筒状部材１４が位置ずれすることがない。このため、第２筒状部材１４内に設けられた操作部材１５が時計モジュール７に対して位置ずれすることがない。【選択図】        図３
2019152679.tif 000002
【特許請求の範囲】
【請求項１】
貫通孔を有し、かつモジュールが内蔵されたケースと、
前記ケースの前記貫通孔内に取り付けられ、かつ内端部が前記ケース内に突出して前記モジュールに連結された筒状部材と、
前記筒状部材にその内外に突出して取り付けられ、前記モジュールをスイッチ動作させる操作部材と、
を備えていることを特徴とするスイッチ装置。
【請求項２】
請求項１に記載のスイッチ装置において、前記筒状部材は、前記ケースの前記貫通孔内にその径方向に変位可能に取り付けられた第１筒状部材と、前記第１筒状部材内にその径方向に変位可能に取り付けられ、かつ内端部が前記モジュールに連結された第２筒状部材と、を有していることを特徴とするスイッチ装置。
【請求項３】
請求項２に記載のスイッチ装置において、前記第１筒状部材の外周面と前記ケースの前記貫通孔の内周面との間に設けられた隙間と、前記隙間に設けられた弾力性を有する防水部材と、を有していることを特徴とするスイッチ装置。
【請求項４】
請求項２または請求項３に記載のスイッチ装置において、前記ケースの内部に突出する前記第２筒状部材の前記内端部に設けられ、前記モジュールのハウジング内に設けられた操作孔に挿入する筒状突起部を備えていることを特徴とするスイッチ装置。
【請求項５】
請求項２〜請求項４のいずれかに記載のスイッチ装置において、前記ケースに対する前記第１筒状部材の位置を規制する第１規制部材と、前記第１筒状部材に対する前記第２筒状部材の位置を規制する第２規制部材と、を備えていることを特徴とするスイッチ装置。
【請求項６】
請求項５に記載のスイッチ装置において、前記第１規制部材は、前記第１筒状部材の内端部に設けられた第１取付溝に前記第１筒状部材の径方向から装着する装着部と、前記第１筒状部材の径方向への変位に応じて前記装着部を変位可能に保持する保持部と、を有していることを特徴とするスイッチ装置。
【請求項７】
請求項２〜請求項６のいずれかに記載のスイッチ装置において、前記操作部材は、前記第２筒状部材の内部にスライドおよび回転可能な状態で挿入される軸部と、前記第２筒状部材の外周にスライド操作および回転操作可能な状態で配置された頭部と、前記軸部に取り付けられて前記モジュール内に挿入され、この状態で前記頭部の操作に応じて前記モジュールをスイッチ動作させる連動操作部と、を備えていることを特徴とするスイッチ装置。
【請求項８】
請求項１〜請求項７のいずれかに記載されたスイッチ装置を備えていることを特徴とする時計。
【発明の詳細な説明】
【技術分野】
【０００１】
この発明は、腕時計などの時計、または携帯電話機、携帯情報端末機などの電子機器に用いられるスイッチ装置およびそれを備えた時計に関する。
【背景技術】
【０００２】
例えば、腕時計のスイッチ装置においては、特許文献１に記載されているように、時計モジュールが内蔵された腕時計ケースの貫通孔内に筒状部材を取り付ける際に、腕時計ケースの貫通孔の内周面と筒状部材の外周面との間に弾性部材を設け、この状態で筒状部材の内部に時計モジュールを操作する操作部材を設けた構成のものが知られている。
【先行技術文献】
【特許文献】
【０００３】
【特許文献１】特開２０１０−２４９７１６号公報
【０００４】
この種のスイッチ装置は、腕時計ケースが外部から衝撃を受けて、腕時計ケースと時計モジュールとの間で位置ずれが生じた際に、腕時計ケースの貫通孔の内周面と筒状部材の外周面との間に設けられた弾性部材を弾性変形させて、筒状部材をその径方向に変位させることにより、筒状部材の径方向への変位に応じて操作部材に生じるせん断力などの負荷を軽減するように構成されている。
【発明の概要】
【発明が解決しようとする課題】
【０００５】
しかしながら、このような腕時計のスイッチ装置では、筒状部材内に配置された操作部材が時計モジュールに、その内部に挿入された状態で、連結されているため、腕時計ケースと時計モジュールとの間に生じる位置ずれに応じて、操作部材が筒状部材を径方向に押圧し、この押圧された筒状部材によって弾性部材を弾性変形させなければならず、このため操作部材に弾性部材を弾性変形させるためのせん断力などの負荷が加わり、操作部材が折れ曲がったり、破損したりするという問題がある。
【０００６】
この発明が解決しようとする課題は、操作部材の折れ曲がりや、破損を防ぐことができるスイッチ装置およびそれを備えた時計を提供することである。
【課題を解決するための手段】
【０００７】
この発明は、貫通孔を有し、かつモジュールが内蔵されたケースと、このケースの前記貫通孔内に取り付けられ、かつ内端部が前記ケース内に突出して前記モジュールに連結された筒状部材と、この筒状部材にその内外に突出して取り付けられ、前記モジュールをスイッチ動作させる操作部材と、を備えていることを特徴とするスイッチ装置である。
【発明の効果】
【０００８】
この発明によれば、ケースとモジュールとの間で位置ずれが生じても、その位置ずれに応じてモジュールに連結された筒状部材を変位させることができるので、モジュールに対して筒状部材が位置ずれすることがない。このため、筒状部材内に取り付けられた操作部材がモジュールに対して位置ずれすることがないので、操作部材の折れ曲がりや、破損を確実にかつ良好に防ぐことができる。
【図面の簡単な説明】
【０００９】
【図１】この発明を腕時計に適用した一実施形態を示した拡大正面図である。
【図２】図１に示された腕時計を３時側から見て示した拡大側面図である。
【図３】図１に示された腕時計のＡ−Ａ矢視における要部を示した拡大断面図である    。
【図４】図２に示された腕時計のＢ−Ｂ矢視における要部を示した拡大断面図である。
【図５】図３に示されたスイッチ装置を分解して示した要部の拡大斜視図である。
【図６】図３に示されたスイッチ装置において、第２筒状部材に対する操作部材のロ    ックを解除した状態を示した要部の拡大断面図である。
【発明を実施するための形態】
【００１０】
以下、図１〜図６を参照して、この発明を腕時計に適用した一実施形態について説明する。
この腕時計は、図１〜図３に示すように、腕時計ケース１を備えている。この腕時計ケース１は、本体ケース２と第１、第２の外装ケース３、４とで構成されている。本体ケース２は、硬質の合成樹脂で形成され、その内部に補強部材２ａが埋め込まれた構成になっている。第１、第２の外装ケース３、４は、それぞれウレタン樹脂などの軟質の合成樹脂によってほぼリング状に形成されている。
【００１１】
この場合、第１外装ケース３は、図１〜図３に示すように、本体ケース２の上端部に配置されて、その内周側に位置する縁部が本体ケース２の内側に向けて少し突出するように構成されている。第２外装ケース４は、本体ケース２の上部から下部に亘る外周、および第１外装ケース３の上部外周に装着されて、本体ケース２の外周および第１外装ケース３の上部外周を覆った状態で、ビス４ａによって本体ケース２に取り付けられるように構成されている。
【００１２】
この腕時計ケース１の上部開口部、つまり本体ケース２の上部開口部には、図１〜図３に示すように、時計ガラス５がパッキン５ａを介して取り付けられている。この腕時計ケース１の下部、つまり本体ケース２の下部には、裏蓋６が防水パッキン６ａを介して取り付けられている。また、この腕時計ケース１の内部、つまり本体ケース２の内部には、時計モジュール７が収納されている。
【００１３】
この時計モジュール７は、図３および図４に示すように、ハウジング８を備えている。このハウジング８には、図示しないが、指針を文字板の上方で運針させて時刻を指示する時計ムーブメントなどの時計機能に必要な各種の部品が搭載されている。また、このハウジング８と時計ガラス５との間には、見切り部材９が配置されている。
【００１４】
さらに、この腕時計ケース１の３時側に位置する外周面の箇所には、図１〜図６に示すように、スイッチ装置１０が設けられている。また、この腕時計ケース１の２時側、４時側、６時側、８時側、１０時側に位置する外周面の各箇所には、図１および図２に示すように、各種の押釦スイッチ１１がそれぞれ設けられている。
【００１５】
スイッチ装置１０は、図３〜図６に示すように、時計ムーブメント（図示せず）を操作するための竜頭スイッチであり、腕時計ケース１の貫通孔１２内に取り付けられた第１筒状部材１３と、この第１筒状部材１３内に取り付けられて時計モジュール７に連結された第２筒状部材１４と、この第２筒状部材１４の内部にその内外に突出して取り付けられて、時計モジュール７の時計ムーブメントをスイッチ動作させる操作部材１５と、を備えている。
【００１６】
この場合、腕時計ケース１の貫通孔１２は、図３〜図６に示すように、本体ケース２の内部側に位置する円形孔１２ａと、本体ケース２の外部側に位置する矩形孔１２ｂと、を有している。円形孔１２ａは、その軸方向の長さが矩形孔１２ｂの軸方向の長さよりも長く形成されている。矩形孔１２ｂは、その内径が円形孔１２ａの内径よりも大きく、かつ腕時計ケースの円周方向に長い長方形状に形成されている。
【００１７】
第１筒状部材１３は、図３〜図６に示すように、本体ケース２の貫通孔１２の円形孔１２ａ内に配置される円筒部１６と、貫通孔１２の矩形孔１２ｂ内に配置される長方形状の板状部１７と、を有している。これにより、第１筒状部材１３は、板状部１７が貫通孔１２の矩形孔１２ｂ内に配置されることにより、貫通孔１２内で回転することなく、貫通孔１２内に取り付けられるように構成されている。
【００１８】
この場合、円筒部１６は、図３〜図６に示すように、その外径が貫通孔１２の円形孔１２ａの内径よりも小さく形成されている。これにより、円筒部１６の外周面と貫通孔１２の円形孔１２ａの内周面との間には、隙間Ｓ１が形成されていると共に、複数の防水リング１８が設けられている。すなわち、これら複数の防水リング１８は、円筒部１６の外周面に圧接して設けられ、かつ貫通孔１２の円形孔１２ａの内周面に圧接するように構成されている。
【００１９】
すなわち、複数の防水リング１８は、図３〜図６に示すように、弾性を有する合成樹脂からなり、その断面形状が円形状に形成され、その外径が円筒部１６の外周面と貫通孔１２の円形孔１２ａの内周面との間の隙間Ｓ１よりも少し大きく形成されている。これにより、複数の防水リング１８は、その外周が貫通孔１２の円形孔１２ａの内周面と円筒部１６の外周面とに圧接し、円筒部１６の外周面と貫通孔１２の円形孔１２ａの内周面との間の防水を図ると共に、円筒部１６をその径方向に弾力的に変位させるように構成されている。
【００２０】
この場合、第１筒状部材１３の板状部１７は、図３〜図６に示すように、その外形が貫通孔１２の矩形孔１２ｂの内形よりも少し小さく形成されている。このため、第１筒状部材１３は、円筒部１６が複数の防水リング１８によって貫通孔１２の円形孔１２ａ内に隙間Ｓ１をもって保持され、かつ板状部１７が貫通孔１２の矩形孔１２ｂ内にその径方向に隙間をもって配置されている。これにより、第１筒状部材１３は、貫通孔１２内においてその径方向に複数の防水リング１８の弾性変形に応じて変位するように構成されている。
【００２１】
また、この第１筒状部材１３の円筒部１６は、図３〜図６に示すように、その軸方向の長さが貫通孔１２の円形孔１２ａの軸方向の長さよりも長く形成されている。これにより、円筒部１６は、貫通孔１２の円形孔１２ａ内に配置された際に、その内端部が本体ケース２の内部に突出するように構成されている。この円筒部１６の内端部における外周には、環状の第１取付溝１６ａが設けられている。この第１取付溝１６ａには、第１規制部材２０が取り付けられている。
【００２２】
この第１規制部材２０は、図３〜図６に示すように、平板をＬ字状に折り曲げることにより、円筒部１６の第１取付溝１６ａに装着する装着部２０ａと、この装着部２０ａを第１筒状部材１３の径方向に変位可能に保持する保持部２０ｂと、を有するように構成されている。装着部２０ａは、その上部側に半円形状の装着溝２０ｃが設けられ、この装着溝２０ｃの縁部が円筒部１６の第１取付溝１６ａに腕時計ケース１の下部側から挿入することにより、第１取付溝１６ａに取り付けられるように構成されている。
【００２３】
これにより、第１規制部材２０は、図３〜図６に示すように、円筒部１６の第１取付溝１６ａに装着部２０ａの装着溝２０ｃの縁部が挿入した状態で、装着部２０ａが貫通孔１２の縁部に位置する本体ケース２の内面に当接するように構成されている。このため、第１規制部材２０は、板状部１７を貫通孔１２の矩形孔１２ｂの内側面に押し当てることにより、本体ケース２の貫通孔１２内に第１筒状部材１３をその軸方向に対して位置規制するように構成されている。
【００２４】
一方、第２筒状部材１４は、図３〜図６に示すように、第１筒状部材１３内に挿入する小径筒部２１と、第１筒状部材１３から腕時計ケース１の外部に突出する大径筒部２２と、を有している。この場合、第１筒状部材１３は、本体ケース２の内部側に位置する四角形状の角孔部１３ａと、本体ケース２の外部側に位置する円形孔部１３ｂと、を有している。この場合、角孔部１３ａは、円形孔部１３ｂの外径よりも小さく形成されている。
【００２５】
第２筒状部材１４の大径筒部２２は、図３〜図６に示すように、その外径が小径筒部２１の外径よりも大きく形成され、第１筒状部材１３から本体ケース２の外部に突出するように形成されている。この大径筒部２２の内端部に位置する外周部には、第１筒状部材１３の板状部１７の外側面に当接するフランジ部２２ａが設けられている。
【００２６】
また、この第２筒状部材１４の小径筒部２１は、図３〜図６に示すように、第１筒状部材１３の角孔部１３ａに挿入する角筒部２１ａと、第１筒状部材１３の円形孔部１３ｂ内に挿入する円筒部２１ｂと、を有している。これにより、第２筒状部材１４は、小径筒部２１の角筒部２１ａが第１筒状部材１３の角孔部１３ａ内に配置されることにより、第１筒状部材１３内で回転することなく取り付けられるように構成されている。
【００２７】
この場合、第２筒状部材１４は、図３〜図６に示すように、小径筒部２１の外周に複数の防水リング２３が設けられ、これら複数の防水リング２３が第１筒状部材１３の内周面に圧接するように構成されている。これにより、第２筒状部材１４は、複数の防水リング２３によって小径筒部２１の外周面と第１筒状部材１３の内周面との間の防水を図ると共に、小径筒部２１をその径方向に第１筒状部材１３の円筒部１６ほどではないが弾力的に変位させるように構成されている。
【００２８】
なお、第２筒状部材１４の複数の防水リング２３も第１筒状部材１３の複数の防水リング１８と同様に弾性を有する合成樹脂からなる。弾性力については、第２筒状部材１４の複数の防水リング２３と第１筒状部材１３の複数の防水リング１８とは同じであっても良いし、第２筒状部材１４の複数の防水リング２３は硬く第１筒状部材１３の複数の防水リング１８の方が柔らかい合成樹脂からなっていても良い。
【００２９】
また、この第２筒状部材１４は、図３〜図６に示すように、本体ケース２の内部側に位置する角筒部２１ａの内端部が本体ケース２の内部に突出し、この突出した内端部に筒状突起部２４が本体ケース２の内部に突出するように構成されている。この筒状突起部２４は、時計モジュール７のハウジング８に設けられた操作孔８ａに挿入されて、第２筒状部材１４を時計モジュール７に連結させるように構成されている。
【００３０】
これにより、第２筒状部材１４は、図３〜図６に示すように、筒状突起部２４がハウジング８の操作孔８ａに挿入されることにより、時計モジュール７と一体化されて、時計モジュール７に対して第２筒状部材１４がその軸方向と直交する径方向に位置ずれしないように構成されている。
【００３１】
また、この第２筒状部材１４における角筒部２１ａの内端部には、図３〜図６に示すように、環状の第２取付溝２１ｃが設けられている。この第２取付溝２１ｃには、第２規制部材２５が取り付けられている。この第２規制部材２５は、Ｅリングなどの抜止め部材であり、角筒部２１ａの内端部の第２取付溝２１ｃに取り付けられて、第１筒状部材１３の円筒部１６の内端部に当接するように構成されている。
【００３２】
これにより、第２筒状部材１４は、図３〜図６に示すように、その小径筒部２１が第１筒状部材１３内に配置された状態で、大径筒部２２のフランジ部２２ａが第１筒状部材１３の板状部１７の外側面に当接し、かつ小径筒部２１の第２取付溝２１ｃに取り付けられた第２規制部材２５が第１筒状部材１３の円筒部１６の内端部に当接することにより、第１筒状部材１３に対する軸方向の位置が規制されるように構成されている。
【００３３】
ところで、操作部材１５は、図３〜図６に示すように、第２筒状部材１４内にスライド可能に挿入される軸部２６と、この軸部２６の外端部に設けられた頭部２７と、この頭部２７の操作に応じて時計モジュール７をスイッチ動作させる連動操作部２８と、を有している。頭部２７は、全体がほぼ円筒状に形成され、本体ケース２の外部に突出した第２筒状部材１４の大径筒部２２の外周にスライド操作および回転操作可能な状態で配置されるように構成されている。
【００３４】
すなわち、この頭部２７は、図３〜図６に示すように、その内径が第２筒状部材１４の大径筒部２２の外径よりも大きく形成されている。また、この頭部２７は、その外径が第２筒状部材１４のフランジ部２２ａの外径よりも大きく、かつ本体ケース２の上下方向の長さよりも短く形成されている。さらに、この頭部２７は、その外周部の軸方向の長さが第２筒状部材１４の大径筒部２２の軸方向の長さよりも長く形成され、かつ内周部の軸方向の長さが第２筒状部材１４の大径筒部２２の軸方向の長さとほぼ同じ長さに形成されている。
【００３５】
これにより、頭部２７は、図３〜図６に示すように、本体ケース２の外部に突出した第２筒状部材１４の大径筒部２２の外周に、これを覆うと共に、その軸方向に沿ってスライドおよび回転可能に配置され、本体ケース２側に位置する頭部２７の内側端面２７ａが本体ケース２の外面に接離可能に接近するように構成されている。
【００３６】
軸部２６は、図３〜図６に示すように、円筒状に形成され、第２筒状部材１４の外端部側に位置する大径孔部１４ａ内にスライド可能でかつ回転可能に挿入されている。この軸部２６の外端部には、頭部２７が一体に設けられている。すなわち、この軸部２６は、その外径が第２筒状部材１４の大径孔部１４ａの内径とほぼ同じ大きさで、軸方向の長さが大径孔部１４ａの軸方向の長さとほぼ同じ長さに形成されている。
【００３７】
この場合、軸部２６の外周には、図３〜図６に示すように、複数の防水リング３０が摺動可能に圧接している。これら複数の防水リング３０は、第２筒状部材１４の大径孔部１４ａの内周面に環状に設けられ、軸部２６が第２筒状部材１４の大径孔部１４ａに挿入された際に、軸部２６の外周面に圧接した状態で、軸部２６がスライドおよび回転可能に摺動するように構成されている。
【００３８】
また、この軸部２６の内部は、図３〜図６に示すように、連結穴３１が軸部２６の軸方向に沿って設けられている。この連結穴３１は、本体ケース２の内部側に位置する個所に形成された断面四角形の角孔部３１ａと、本体ケース２の外部側に位置する個所に形成されて角孔部３１ａに内接する断面円形の丸孔部３１ｂと、を有している。この軸部２６には、連動操作部２８が連結されている。
【００３９】
連動操作部２８は、図３〜図６に示すように、連結穴３１内にスライド可能に配置されるスライド部材３２と、時計モジュール７のハウジング８内に設けられた操作孔８ａ内にスライドおよび回転可能な状態で挿入される巻真３３と、を有している。スライド部材３２は、その外径が軸部２６の連結穴３１における丸孔部３１ｂの内径よりも小さく、かつ第２筒状部材１４の内端部側に位置する小径孔部１４ｂの内径と同じ大きさの棒状に形成されている。
【００４０】
この場合、第２筒状部材１４は、図３〜図６に示すように、その大径孔部１４ａの軸方向の長さが小径孔部１４ｂの軸方向の長さよりも大幅に長く形成されている。また、このスライド部材３２は、その軸方向の長さが連結穴３１の軸方向の長さよりも短く、かつ連結穴３１の角孔部３１ａの軸方向の長さよりも長く形成されている。さらに、このスライド部材３２の中間部には、連結穴３１の角孔部３１ａ内にスライド可能に配置される四角形状の角板部３２ａが設けられている。
【００４１】
これにより、スライド部材３２は、図３〜図６に示すように、角板部３２ａが軸部２６の連結穴３１の角孔部３１ａ内をスライドすると共に、操作部材１５の頭部２７の回転に伴って軸部２６が回転する際に、連結穴３１の角孔部３１ａに配置された角板部３２ａによって、軸部２６と共に回転するように構成されている。
【００４２】
この場合、スライド部材３２は、図３〜図６に示すように、頭部２７側に位置する丸孔部３１ｂの奥端部（図３では右端部）と角板部３２ａとの間に配置されたコイルばね３４のばね力によって、本体ケース２の内部に向けて押し込まれる方向に付勢されるように構成されている。また、このスライド部材３２には、巻真３３が一体的に取り付けられている。
【００４３】
この巻真３３は、図３〜図６に示すように、その一端部３３ａが本体ケース２の内部側に位置するスライド部材３２の端部に螺着され、本体ケース２の内部側に位置する他端部３３ｂが第２筒状部材１４の小径孔部１４ｂを通して本体ケース２内に挿入され、この挿入された他端部３３ｂが時計モジュール７のハウジング８に設けられた操作孔８ａ内に差し込まれて、時計モジュール７の時計ムーブメントに連結されるように構成されている。
【００４４】
すなわち、この巻真３３は、図３〜図６に示すように、その他端部３３ｂが時計モジュール７のハウジング８の操作孔８ａ内に差し込まれて、時計モジュール７の時計ムーブメントに連結された状態で、操作部材１５の頭部２７の回転に伴って軸部２６がスライド部材３２を回転させた際に、このスライド部材３２と共に一体的に回転するように構成されている。
【００４５】
また、この巻真３３は、図３〜図６に示すように、操作部材１５の頭部２７が本体ケース２の外部に向けて引き出されて、軸部２６が本体ケース２の外部に向けてスライドする際に、スライド部材３２の角板部３２ａがコイルばね３４のばね力によって本体ケース２の内部側に向けて付勢されていることにより、スライド部材３２が軸部２６と共にスライドせず、スライド部材３２と共に同じ状態（ニュートラル状態）を維持するように構成されている。
【００４６】
すなわち、この巻真３３は、図３〜図６に示すように、操作部材１５の軸部２６が本体ケース２の外部に向けスライドする際に、スライド部材３２の角板部３２ａが軸部２６の連結穴３１の角孔部３１ａ内を相対的に移動することにより、スライド部材３２が軸部２６と共にスライドせず、スライド部材３２と共に同じ状態（ニュートラル状態）を維持するように構成されている。
【００４７】
また、この巻真３３は、図６に示すように、スライド部材３２の角板部３２ａが軸部２６の連結穴３１の端部に設けられた当接部３１ｃに当接した状態で、操作部材１５の頭部２７が本体ケース２の外部に向けて引き出され、これに伴って軸部２６がコイルばね３４のばね力に抗して本体ケース２の外部に向けスライドする際に、スライド部材３２が軸部２６と共にスライドし、このスライド部材３２と共にスライドして、時計モジュール７の時計ムーブメントを操作可能な状態にするように構成されている。
【００４８】
さらに、この巻真３３は、図６に示す状態で、操作部材１５の頭部２７が本体ケース２の外部に向けて引き出され、これに伴ってスライド部材３２と共にスライドして、時計モジュール７の時計ムーブメントを操作可能な状態になった際に、操作部材１５の回転に伴って軸部２６と共に回転して、時計モジュール７の時計ムーブメントをスイッチ動作させることにより、指針によって指示される時刻などを修正するように構成されている。
【００４９】
ところで、この操作部材１５は、図３〜図６に示すように、その頭部２７が本体ケース２の内部に向けて押し込まれて、頭部２７が本体ケース２の外面に接近した際に、ロック機構３５によって第２筒状部材１４に対してロックされるように構成されている。すなわち、このロック機構３５は、操作部材１５の頭部２７の内周面に設けられた雌ねじ部３５ａと、第２筒状部材１４の大径筒部２２の外周面に設けられて雌ねじ部３５ａが螺合する雄ねじ部３５ｂと、を有している。
【００５０】
これにより、ロック機構３５は、図３〜図６に示すように、操作部材１５の頭部２７が本体ケース２の外面に接近してコイルばね３４を圧縮させた状態で、操作部材１５の頭部２７を回転させた際に、頭部２７の雌ねじ部３５ａが第２筒状部材１４の大径筒部２２の雄ねじ部３５ｂに螺合し、操作部材１５の頭部２７が第２筒状部材１４の大径筒部２２にロックされるように構成されている。
【００５１】
また、このロック機構３５は、図３に示す状態で、操作部材１５の頭部２７を回転させて、第２筒状部材１４の大径筒部２２の雄ねじ部３５ｂに対する頭部２７の雌ねじ部３５ａの螺合を解除すると、第２筒状部材１４の大径筒部２２に対する操作部材１５の頭部２７のロックが解除され、図６に示すように、頭部２７がコイルばね３４のばね力によって腕時計ケース１の外部に押し出されるように構成されている。
【００５２】
次に、このような腕時計におけるスイッチ装置１０の作用について説明する。
このスイッチ装置１０を組み立てる場合には、まず、腕時計ケース１の本体ケース２に設けられた貫通孔１２に第１筒状部材１３を取り付ける。このときには、予め、第１筒状部材１３の円筒部１６の外周に複数の防水リング１８を取り付け、この状態で第１筒状部材１３を本体ケース２の外部側から貫通孔１２内に挿入させる。
【００５３】
すると、第１筒状部材１３の円筒部１６が貫通孔１２の矩形孔１２ｂを通して円形孔１２ａ内に複数の防水リング１８と共に挿入される。このときには、複数の防水リング１８が貫通孔１２の円形孔１２ａの内周面に圧接し、第１筒状部材１３の円筒部１６の外周面と貫通孔１２の円形孔１２ａの内周面との間の防水が図れる。また、このときには、第１筒状部材１３の板状部１７が貫通孔１２の矩形孔１２ｂ内に装着される。
【００５４】
これにより、第１筒状部材１３が腕時計ケース１内にその貫通孔１２内で回転することなく取り付けられる。この状態では、第１筒状部材１３の円筒部１６が複数の防水リング１８によって貫通孔１２の円形孔１２ａ内に隙間Ｓ１をもって保持され、かつ板状部１７が貫通孔１２の矩形孔１２ｂ内にその径方向に隙間をもって配置されている。これにより、第１筒状部材１３は、貫通孔１２内においてその径方向に複数の防水リング１８の弾性変形に応じて変位可能な状態で配置される。
【００５５】
また、この状態では、円筒部１６の内端部が本体ケース２内に突出し、この円筒部１６の内端部に設けられた第１取付溝１６ａが本体ケース２内に露呈する。これにより、円筒部１６の内端部に設けられた第１取付溝１６ａに第１規制部材２０を取り付けることが可能な状態になる。この時点では、まだ、第１規制部材２０を第１取付溝１６ａに取り付けない。
【００５６】
そして、本体ケース２内に時計モジュール７を組み付ける。このときには、時計モジュール７のハウジング８に設けられた操作孔８ａを第１筒状部材１３の円筒部１６に対応させる。この状態で、第１筒状部材１３に第２筒状部材１４を挿入させる。このときには、予め、第２筒状部材１４の小径筒部２１の外周に複数の防水リング２３を取り付けると共に、第２筒状部材１４の大径筒部２２の内周に複数の防水リング３０を取り付ける。
【００５７】
この状態で、第２筒状部材１４の小径筒部２１を腕時計ケース１の外部から第１筒状部材１３内に挿入させて、小径筒部２１の内端部から突出した筒状突起部２４をハウジング８の操作孔８ａに挿入させる。これにより、第２筒状部材１４が時計モジュール７に連結された状態で一体化される。このため、第２筒状部材１４と時計モジュール７とが第２筒状部材１４の軸方向に対して直交する径方向に位置ずれすることがない。
【００５８】
このときには、第２筒状部材１４の小径筒部２１の角筒部２１ａが第１筒状部材１３の円形孔部１３ｂを通して角孔部１３ａに嵌合する。これにより、第２筒状部材１４が第１筒状部材１３内に回転することなく取り付けられる。また、このときには、小径筒部２１の円筒部２１ｂが第１筒状部材１３の円形孔部１３ｂに複数の防水リング２３と共に挿入される。これにより、複数の防水リング２３が第１筒状部材１３の内周面に圧接し、第２筒状部材１４の小径筒部２１の外周面と第１筒状部材１３の内周面との間の防水が図れる。
【００５９】
また、このときには、第２筒状部材１４の大径筒部２２が第１筒状部材１３から本体ケース２の外部に突出した状態で、大径筒部２２のフランジ部２２ａが第１筒状部材１３の板状部１７に当接すると共に、第２筒状部材１４の小径筒部２１の内端部が筒状突起部２４と共に本体ケース２内に突出する。これにより、小径筒部２１の内端部に設けられた第２取付溝２１ｃが本体ケース２内に露出する。
【００６０】
この状態で、第２筒状部材１４の第２取付溝２１ｃに第２規制部材２５を取り付けて、第２筒状部材１４を第１筒状部材１３内でその軸方向に対して位置規制する。また、このときには、第１筒状部材１３の第１取付溝１６ａに第１規制部材２０を取り付けて、第１筒状部材１３を本体ケース２の貫通孔１２内でその軸方向に対して位置規制する。
【００６１】
この場合、第１筒状部材１３の第１取付溝１６ａに第１規制部材２０を取り付ける際には、第１規制部材２０の装着部２０ａに設けられた装着溝２０ｃの縁部を、第１筒状部材１３の第１取付溝１６ａに挿入させて、貫通孔１２の縁部に位置する本体ケース２の内面に当接させる。この状態で、本体ケース２の下部に裏蓋６を取り付け、この裏蓋６によって第１規制部材２０の保持部２０ｂを、第１筒状部材１３の径方向に変位可能な状態で、時計モジュール７のハウジング８の下面に押える。
【００６２】
そして、本体ケース２の外周に第１外装ケース３および第２外装ケース４を装着させて、ビス４ａによって本体ケース２に取り付ける。これにより、腕時計ケース１が構成される。この状態で、腕時計ケース１の外部から操作部材１５の軸部２６および連動操作部２８を第２筒状部材１４内に挿入させて取り付ける。
【００６３】
このときには、予め、軸部２６の連結穴３１内にコイルばね３４および連動操作部２８のスライド部材３２を挿入させると共に、このスライド部材３２の端部に巻真３３の一端部３３ａを取り付ける。これにより、軸部２６に連動操作部２８が取り付けられた操作部材１５が構成される。
【００６４】
この操作部材１５を第２筒状部材１４内に挿入させて時計モジュール７に連結させる際には、腕時計ケース１の外部から連動操作部２８の巻真３３を第２筒状部材１４内に挿入させ、この状態で操作部材１５の頭部２７を第２筒状部材１４の大径筒部２２に向けて押し付け、操作部材１５の軸部２６を第２筒状部材１４内に挿入させる。
【００６５】
このときには、連動操作部２８の巻真３３の他端部３３ｂが第２筒状部材１４の小径筒部２１から筒状突起部２４内を通して時計モジュール７のハウジング８の操作孔８ａ内に挿入され、この挿入された巻真３３の他端部３３ｂが時計モジュール７の時計ムーブメント（図示せず）に連結される。この状態では、操作部材１５の頭部２７の回転動作が軸部２６によって連動操作部２８のスライド部材３２に伝達され、このスライド部材３２の回転によって巻真３３が回転する状態になる。
【００６６】
次に、このようなスイッチ装置１０を操作する場合について説明する。
このスイッチ装置１０は、通常の状態のときに、図３および図４に示すように、操作部材１５の頭部２７が本体ケース２側に向けて押し込まれてロック機構３５によってロックされている。
【００６７】
すなわち、頭部２７は、コイルばね３４のばね力に抗して押し込まれることにより、頭部２７の内周面が第２筒状部材１４の大径筒部２２の外周面に対応する。この状態で、頭部２７が更に押し込まれながら回転されると、頭部２７の雌ねじ部３５ａが第２筒状部材１４の大径筒部２２の雄ねじ部３５ｂに螺合する。これにより、操作部材１５の頭部２７が第２筒状部材１４の大径筒部２２にロックされている。
【００６８】
このようなスイッチ装置１０で時計モジュール７をスイッチ操作する場合には、まず、ロック機構３５による頭部２７のロックを解除する。このときには、操作部材１５の頭部２７を回転させて、第２筒状部材１４の大径筒部２２の雄ねじ部３５ｂに対する頭部２７の雌ねじ部３５ａの螺合を解除する。すると、第２筒状部材１４の大径筒部２２に対する操作部材１５の頭部２７のロックが解除され、頭部２７がコイルばね３４のばね力によって腕時計ケース１の外部に押し出される。
【００６９】
このときには、操作部材１５の軸部２６が本体ケース２の外部に向けスライドし、軸部２６の連結穴３１内に配置された連動操作部２８の角板部２８ａが、軸部２６の連結穴３１の角孔部３１ａ内を相対的に移動する。すなわち、このときには、軸部２６がスライドしても、連動操作部２８はコイルばね３４のばね力によって押えられているので、軸部２６と共にスライドしない。
【００７０】
このため、巻真３３は連動操作部２８と共に同じ状態（ニュートラル状態）を維持する。この状態では、操作部材１５の頭部２７が回転されて、この回転に伴って軸部２６と共に連動操作部２８が回転し、この回転に伴って巻真３３が回転しても、巻真３３は空転するだけで、巻真３３によって時計モジュール７の時計ムーブメントはスイッチ動作せず、指針の時刻修正は行われない。
【００７１】
そこで、頭部２７を本体ケース２の外部に向けて更に引き出す。すると、これに伴って軸部２６がコイルばね３４のばね力に抗して本体ケース２の外部に向けてスライドする。このときには、連動操作部２８が軸部２６と共にスライドし、この連動操作部２８と共に巻真３３が本体ケース２の外部に向けてスライドして、時計モジュール７の時計ムーブメントを操作可能な状態にする。
【００７２】
この状態で、操作部材１５の頭部２７を回転させると、この頭部２７の回転に伴って軸部２６が連動操作部２８を回転させる。これにより、巻真３３が連動操作部２８と共に回転するので、この巻真３３によって時計モジュール７の時計ムーブメントがスイッチ動作され、指針が運針し、この運針した指針によって指示される時刻が修正される。
【００７３】
このように、この腕時計のスイッチ装置１０によれば、時計モジュール７が内蔵された腕時計ケース１と、この腕時計ケース１の貫通孔１２内にその径方向に変位可能に取り付けられた第１筒状部材１３と、この第１筒状部材１３内にその径方向に変位可能に取り付けられて、内端部が腕時計ケース１内に突出して時計モジュール７に連結された第２筒状部材１４と、この第２筒状部材１４にその内外に突出して取り付けられて、時計モジュール７をスイッチ動作させる操作部材１５と、を備えていることにより、操作部材１５の折れ曲がりや、破損を確実に防ぐことができる。
【００７４】
すなわち、この腕時計のスイッチ装置１０では、腕時計ケース１が外部から衝撃を受けて、腕時計ケース１と時計モジュール７との間で第１筒状部材１３の径方向に位置ずれが生じた際に、その位置ずれに応じて時計モジュール７に連結された第２筒状部材１４を第１筒状部材１３内で変位させると共に、腕時計ケース１との間で第１筒状部材１３を変位させることができる。
【００７５】
このため、時計モジュール７に対して第２筒状部材１４がその径方向に位置ずれすることがない。これにより、第２筒状部材１４内に設けられた操作部材１５が時計モジュール７に対して操作部材１５の径方向に位置ずれすることがないので、操作部材１５の折れ曲がりや、破損を確実にかつ良好に防ぐことができる。
【００７６】
この場合、スイッチ装置１０は、第１筒状部材１３の外周面と腕時計ケース１の貫通孔１２の内周面との間に設けられた隙間Ｓ１と、この隙間Ｓ１に設けられた弾力性を有する環状の防水リング１８と、を有していることにより、第１筒状部材１３の外周面と腕時計ケース１の貫通孔１２の内周面との間の隙間Ｓ１内において防水リング１８を確実にかつ良好に弾性変形させることができる。
【００７７】
これにより、このスイッチ装置１０では、防水リング１８の弾性変形に応じて第１筒状部材１３を、第１筒状部材１３の外周面と腕時計ケース１の貫通孔１２の内周面との間の隙間Ｓ１内において、その軸方向と直交する径方向に確実にかつ良好に変位させることができる。このため、第２筒状部材１４内に設けられた操作部材１５が時計モジュール７に対する操作部材１５の径方向に位置ずれすることがないので、時計モジュール７に対する操作部材１５の位置ずれを確実に防ぐことができる。
【００７８】
また、このスイッチ装置１０では、腕時計ケース１の内部に突出する第２筒状部材１４の内端部に設けられて、時計モジュール７のハウジング８内に設けられた操作孔８ａに挿入する筒状突起部２４を備えていることにより、ハウジング８の操作孔８ａに対する筒状突起部２４の挿入によって、第２筒状部材１４を時計モジュール７に確実にかつ強固に連結することができ、これにより時計モジュール７と第２筒状部材１４とを一体化することができる。
【００７９】
このため、このスイッチ装置１０では、腕時計ケース１と時計モジュール７との間で第１筒状部材１３の径方向に位置ずれが生じても、ハウジング８の操作孔８ａに対する筒状突起部２４の挿入によって時計モジュール７と第２筒状部材１４との位置ずれを確実に防ぐことができる。これにより、腕時計ケース１と時計モジュール７との間で第１筒状部材１３の径方向に位置ずれが生じた際に、第２筒状部材１４と第１筒状部材１３とによって、防水リング１８を第１筒状部材１３の径方向に確実に弾性変形させることができる。
【００８０】
また、このスイッチ装置１０では、腕時計ケース１に対する第１筒状部材１３の位置を規制する第１規制部材２０と、第１筒状部材１３に対する第２筒状部材１４の位置を規制する第２規制部材２５と、を備えていることにより、第１規制部材２０によって第１筒状部材１３を腕時計ケース１の貫通孔１２内でその軸方向に対して確実にかつ良好に位置規制することができ、また第２規制部材２５によって第２筒状部材１４を第１筒状部材１３内に確実にかつ良好に位置規制することができる。
【００８１】
すなわち、このスイッチ装置１０では、第１筒状部材１３を腕時計ケース１の貫通孔１２に挿入させて第１筒状部材１３の内端部を腕時計ケース１の内部に突出させた状態で、第１筒状部材１３の内端部に設けられた第１取付溝１６ａに第１規制部材２０を取り付けることにより、第１規制部材２０を腕時計ケース１の内面に当接させることができる。これにより、第１筒状部材１３が腕時計ケース１の貫通孔１２から外部に抜け出さないように、第１筒状部材１３を腕時計ケース１に対して確実にかつ良好に位置規制することができる。
【００８２】
この場合、腕時計ケース１の貫通孔１２は、内部側に位置する円形孔１２ａと、外部側に位置する矩形孔１２ｂとを有し、第１筒状部材１３は、円形孔に挿入する円筒部１６と、矩形孔１２ｂに挿入する板状部１７とを有しているので、第１筒状部材１３の板状部１７が貫通孔１２の矩形孔１２ｂ内に配置されることにより、板状部１７を矩形孔１２ｂの内側面に当接させることができると共に、第１筒状部材１３を貫通孔１２内に回転することなく取り付けることができる。
【００８３】
このため、このスイッチ装置１０では、板状部１７を矩形孔１２ｂの内側面に当接させた状態で、第１筒状部材１３の内端部に設けられた第１取付溝１６ａに、第１規制部材２０を取り付けて腕時計ケース１の内面に当接させることにより、第１筒状部材１３が軸方向にガタツクことなく、第１筒状部材１３を腕時計ケース１に対して確実にかつ良好に位置規制することができる。
【００８４】
また、このスイッチ装置１０では、第２筒状部材１４を腕時計ケース１の貫通孔１２に位置規制された第１筒状部材１３に挿入させて第２筒状部材１４の内端部を腕時計ケース１の内部に突出させた状態で、第２筒状部材１４の内端部に設けられた第２取付溝１２１ｃに第２規制部材２５を取り付けることにより、第２規制部材２５を第１筒状部材１３の内端面に当接させることができる。これにより、第２筒状部材１４が第１筒状部材１３から腕時計ケース１の外部に抜け出さないように、第２筒状部材１４を第１筒状部材１３に対して確実にかつ良好に位置規制することができる。
【００８５】
この場合、第１筒状部材１３は、腕時計ケース１の内部側に位置する角孔部１３ａと、腕時計ケース１の外部側に位置する円形孔部１３ｂとを有し、第２筒状部材１４は、第１筒状部材１３内に挿入する小径筒部２１と、第１筒状部材１３から腕時計ケース１の外部に向けて突出する大径筒部２２とを有し、この小径筒部２１が角孔部１３ａに挿入する角筒部２１ａと円形孔部１３ｂに挿入する円筒部２１ｂとを有しているので、大径筒部２２の内端部を第１筒状部材１３の板状部１７の外端面に当接させることができると共に、第２筒状部材１４を第１筒状部材１３内に回転することなく取り付けることができる。
【００８６】
このため、このスイッチ装置１０では、大径筒部２２の内端部を第１筒状部材１３の板状部１７の外端面に当接させた状態で、第２筒状部材１４の内端部に設けられた第２取付溝１２１ｃに第２規制部材２５を取り付けて第１筒状部材１３の内端面に当接させることにより、第２筒状部材１４が軸方向にガタツクことなく、第２筒状部材１４を第１筒状部材１３に対して確実にかつ良好に位置規制することができる。
【００８７】
ところで、第１規制部材２０は、第１筒状部材１３の内端部に設けられた第１取付溝１６ａに第１筒状部材１３の軸方向と直交する径方向から装着する装着部２０ａと、第１筒状部材１３の径方向への変位に応じて装着部２０ａを変位可能に保持する保持部２０ｂと、を有していることにより、腕時計ケース１内に時計モジュール７を組み込んだ状態でも、第１筒状部材１３の内端部に設けられた第１取付溝１６ａに第１規制部材２０を簡単にかつ確実に取り付けることができる。
【００８８】
すなわち、腕時計ケース１内に時計モジュール７を組み込んだ際には、腕時計ケース１の内面と時計モジュール７の側面との間のスペースが狭くなり、第１規制部材２０を第１筒状部材１３の内端部に取り付け難くなるが、第１規制部材２０の装着部２０ａを腕時計ケース１の内面と時計モジュール７の側面との間に差し込むだけで、第１規制部材２０を第１筒状部材１３の内端部に設けられた第１取付溝１６ａに容易にかつ良好に取り付けることができる。
【００８９】
さらに、このスイッチ装置１０では、操作部材１５が、第２筒状部材１４の内部にスライドおよび回転可能な状態で挿入される軸部２６と、第２筒状部材１４の外周にスライド操作および回転操作可能な状態で配置された頭部２７と、軸部２６に取り付けられて頭部２７の操作に応じて時計モジュール７をスイッチ動作させる連動操作部２８と、を備えていることにより、時計モジュール７を確実にかつ良好にスイッチ操作することができる。
【００９０】
すなわち、この操作部材１５では、軸部２６によって操作部材１５を第２筒状部材１４に簡単にスライドおよび回転可能な状態で取り付けることができ、この状態で頭部２７をスライド操作すると共にも回転操作することにより、この頭部２７の操作に応じて連動操作部２８を連動させることができるので、時計モジュール７を確実にかつ良好にスイッチ操作することができる。
【００９１】
この場合、連結操作部２８は、軸部２６内にスライドおよび回転可能な状態で配置されるスライド部材３２と、このスライド部材３２に連結されて軸部２６から第２筒状部材１４の筒状突起部２４を通して時計モジュール７内に挿入される巻真３３と、を備えていることにより、頭部２７をスライド操作すると共にも回転操作した際に、この頭部２７の操作に応じてスライド部材３２と巻真３３とを連動させることができるので、時計モジュール７を確実にかつ良好にスイッチ操作することができる。
【００９２】
この場合、巻真３３は、スライド部材３２に連結されて軸部２６から第２筒状部材１４の筒状突起部２４内を通して時計モジュール７内に挿入されているので、巻真３３を細長い棒状に形成しても、時計モジュール７に対して第２筒状部材１４が位置ずれすることがないため、巻真３３の折れ曲がりや、巻真３３の破損を確実にかつ良好に防ぐことができる。
【００９３】
なお、上述した実施形態では、操作部材１５のロック機構３５が、頭部２７の内周面に設けられた雌ねじ部３５ａと、第２筒状部材１４の大径筒部２２の外周面に設けられた雄ねじ部３５ｂとで構成されている場合について述べたが、この発明はこれに限らず、簡易型のロック機構であっても良い。
【００９４】
また、上述した実施形態では、腕時計に適用した場合について述べたが、この発明は必ずしも腕時計である必要はなく、例えばトラベルウオッチ、目覚まし時計、置き時計、掛け時計などの各種の時計に適用することができる。また、この発明は、必ずしも時計である必要はなく、例えば携帯電話機や携帯情報端末機などの電子機器にも広く適用することができる。
【００９５】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００９６】
（付記）
請求項１に記載の発明は、貫通孔を有し、かつモジュールが内蔵されたケースと、前記ケースの前記貫通孔内に取り付けられ、かつ内端部が前記ケース内に突出して前記モジュールに連結された筒状部材と、前記筒状部材にその内外に突出して取り付けられ、前記モジュールをスイッチ動作させる操作部材と、を備えていることを特徴とするスイッチ装置である。
【００９７】
請求項２に記載の発明は、請求項１に記載のスイッチ装置において、前記筒状部材は、前記ケースの前記貫通孔内にその径方向に変位可能に取り付けられた第１筒状部材と、前記第１筒状部材内にその径方向に変位可能に取り付けられ、かつ内端部が前記モジュールに連結された第２筒状部材と、を有していることを特徴とするスイッチ装置である。
【００９８】
請求項３に記載の発明は、請求項２に記載のスイッチ装置において、前記第１筒状部材の外周面と前記ケースの前記貫通孔の内周面との間に設けられた隙間と、前記隙間に設けられた弾力性を有する防水部材と、を有していることを特徴とするスイッチ装置である。
【００９９】
請求項４に記載の発明は、請求項２または請求項３に記載のスイッチ装置において、前記ケースの内部に突出する前記第２筒状部材の前記内端部に設けられ、前記モジュールのハウジング内に設けられた操作孔に挿入する筒状突起部を備えていることを特徴とするスイッチ装置である。
【０１００】
請求項５に記載の発明は、請求項２〜請求項４のいずれかに記載のスイッチ装置において、前記ケースに対する前記第１筒状部材の位置を規制する第１規制部材と、前記第１筒状部材に対する前記第２筒状部材の位置を規制する第２規制部材と、を備えていることを特徴とするスイッチ装置である。
【０１０１】
請求項６に記載の発明は、請求項５に記載のスイッチ装置において、前記第１規制部材は、前記第１筒状部材の内端部に設けられた第１取付溝に前記第１筒状部材の径方向から装着する装着部と、前記第１筒状部材の径方向への変位に応じて前記装着部を変位可能に保持する保持部と、を有していることを特徴とするスイッチ装置である。
【０１０２】
請求項７に記載の発明は、請求項２〜請求項６のいずれかに記載のスイッチ装置において、前記操作部材は、前記第２筒状部材の内部にスライドおよび回転可能な状態で挿入される軸部と、前記第２筒状部材の外周にスライド操作および回転操作可能な状態で配置された頭部と、前記軸部に取り付けられて前記モジュール内に挿入され、この状態で前記頭部の操作に応じて前記モジュールをスイッチ動作させる連動操作部と、を備えていることを特徴とするスイッチ装置である。
【０１０３】
請求項８に記載の発明は、請求項１〜請求項７のいずれかに記載されたスイッチ装置を備えていることを特徴とする時計である。
【符号の説明】
【０１０４】
１  腕時計ケース
２  本体ケース
７  時計モジュール
８  ハウジング
８ａ  操作孔
１０  スイッチ装置
１２  貫通孔
１２ａ  円形孔
１２ｂ  矩形孔
１３  第１筒状部材
１４  第２筒状部材
１５  操作部材
１６  円筒部
１６ａ  第１取付溝
１７  板状部
１８、２３、３０  防水リング
２０  第１規制部材
２０ａ  装着部
２０ｂ  保持部
２０ｃ  装着溝
２１  小径筒部
２１ａ  角筒部
２１ｂ  円筒部
２１ｃ  第２取付溝
２２  大径筒部
２４  筒状突起部
２５  第２規制部材
２６  軸部
２７  頭部
２８  連動操作部
３２  スライド部材
３３  巻真
Ｓ１  隙間
【図１】
2019152679.tif 000003
【図２】
2019152679.tif 000004
【図３】
2019152679.tif 000005
【図４】
2019152679.tif 000006
【図５】
2019152679.tif 000007
【図６】
2019152679.tif 000008
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
貫通孔を有し、かつモジュールが内蔵されたケースと、
前記ケースの前記貫通孔内に取り付けられ、かつ内端部が前記モジュールに連結された筒状部材と、
前記筒状部材に取り付けられる操作部材と、
を備えていることを特徴とするスイッチ装置。
【請求項２】
前記操作部材は、前記筒状部材の内外に突出して取り付けられていることを特徴とする請求項１に記載のスイッチ装置。
【請求項３】
前記操作部材は前記モジュールをスイッチ動作させることを特徴とする請求項１または２に記載のスイッチ装置。
【請求項４】
請求項１〜３のいずれか一項に記載のスイッチ装置を備えていることを特徴とする時計。
【手続補正２】
【補正対象書類名】明細書
【補正対象項目名】０００７
【補正方法】変更
【補正の内容】
【０００７】
この発明は、貫通孔を有し、かつモジュールが内蔵されたケースと、前記ケースの前記貫通孔内に取り付けられ、かつ内端部が前記モジュールに連結された筒状部材と、前記筒状部材に取り付けられる操作部材と、を備えていることを特徴とするスイッチ装置である。